(57)【要約】【課題】３枚の引戸が一列に並んで連続した壁のような外観を呈することができ、係合部材が引戸後方の収納物等に引掛かかることを防止でき、係合部材を確実且つ強固に中央引戸に係合できる引戸装置を提供する。【解決手段】３枚以上の引戸１を備えた引戸装置である。３枚の引戸１ａ〜１ｃは閉じた状態では面一となるように配置される。他方引戸１ｂを一方引戸側１ａに向かって移動した際に、他方引戸１ｂを一方引戸１ａの前に重なるように誘導し、且つ中央引戸１ｃを一方引戸１ａ側に移動した際に中央引戸１ｃを一方引戸１ａの後に重なるように誘導する誘導機構１９を設ける。他方引戸１ｂを一方引戸１ａ側に向かって移動する際に、他方引戸１ｂに追従して中央引戸１ｃを開閉させるための連動機構１５を設ける。【選択図】図１
2007138390.tif 000002
【特許請求の範囲】
【請求項１】
３枚以上の引戸を備えた引戸装置であって、閉じた状態で連続して隣合う３枚引戸が、中央に位置する中央引戸と、中央引戸の一方の側方に配置される一方引戸と、中央引戸の他方の側方に配置される他方引戸とからなり、該３枚の引戸は、閉じた状態では面一となるように配置され、前記面一に閉じられた状態にある３枚の引戸において他方引戸を一方引戸側に向かって移動した際に、他方引戸を一方引戸の前に重なるように誘導し、且つ中央引戸を一方引戸側に移動した際に中央引戸を一方引戸の後に重なるように誘導する誘導機構を設け、前記面一に閉じた状態から他方引戸を一方引戸側に向かって移動する際に、他方引戸に追従して中央引戸を開閉させるための連動機構を設け、該連動機構は、中央引戸の上端面に形成した前後に長い係合溝と、他方引戸の上端から後方に向けて突出して前記係合溝に係合可能な係合部材とを備え、係合部材の後端部から下方に突出して前記係合溝に係合しつつ係合溝に沿って移動自在となる係合部を設け、係合溝の後端部に他方引戸側の側方に開口する突部挿入口を形成し、前記面一に閉じた状態から他方引戸を一方引戸側に向かって移動する際に、係合部は他方引戸と中央引戸とが概ね重なる段階で係合溝の突部挿入口から係合溝に挿入されて係合溝に係合され、且つ他方引戸と中央引戸とが前後に離反する段階で係合溝の前端部に係合可能となるように構成されていることを特徴とする引戸装置。
【請求項２】
上記係合部材は、他方引戸の上端から後方に向けて突出する横片部と、横片部の後端部から下方に突出した係合部を備え、横片部の下面を中央引戸よりも上方で且つ他方引戸の上端面と略同レベルに配置して成ることを特徴とする請求項１に記載の引戸装置。
【請求項３】
上面に上記係合溝を形成した受け部材を備え、該受け部材を中央引戸の上端面に形成した凹所内に嵌め込んで成ることを特徴とする請求項１又は請求項２に記載の引戸装置。
【請求項４】
上記中央引戸は、引戸本体と、引戸本体の側縁に設けた長尺な縦縁材とを備え、該縦縁材の上端面に係合溝を形成して成ることを特徴とする請求項１〜３のいずれかに記載の引戸装置。
【請求項５】
上記中央引戸は、引戸本体と、引戸本体の側縁に設けた長尺な縦縁材とを備え、縦縁材は、引戸本体の側縁に設けた中空で長尺な縁材本体と、縁材本体の上端開口部からなる凹所内に嵌め込まれるエンドキャップとを備え、該エンドキャップの上面に上記係合溝を形成して成ることを特徴とする請求項１〜４のいずれかに記載の引戸装置。
【請求項６】
上記係合溝は後端側程他方引戸側の側方に位置するように滑らかに湾曲した溝であることを特徴とする請求項１〜５のいずれかに記載の引戸装置。
【発明の詳細な説明】
【技術分野】
【０００１】
本発明は引戸装置に関し、詳しくは閉じた状態で各引戸が段差無く一列に面一となる引戸装置に関するものである。
【背景技術】
【０００２】
従来から３枚の引戸を備えた引戸装置が知られており、一般的な引戸装置は各引戸が各々平行に直進移動して閉状態と右開き状態又は左開き状態となる引き違い式となっている。
【０００３】
ところが、上記の３枚引戸では閉状態では手前側から後方にかけて各引戸が段差状となるため、外観上の見栄えが悪いだけでなく、各引戸ごとに上レールの長手方向と直交する前後方向に３本のレール部を並設する必要があり、このため上レールの全体の見込み寸法（奥行き）を大きくとる必要が生じるなど、施工自由度が小さいという制約もあった。
【０００４】
例えば特許文献１には２枚引戸において全閉状態で２枚の引戸が面一に連続し、全開状態で２枚の引戸が前後に重なるものが特許文献２により知られているが、このものは３枚引戸ではない。
【０００５】
そこで本発明者等は先に以下の３枚引戸を備えた引戸装置を発明した。この引戸装置は、閉じた状態で中央に位置する中央引戸と、中央引戸の一方の側方に配置される一方引戸と、中央引戸の他方の側方に配置される他方引戸とからなるものである。この引戸装置には、前記３枚の引戸が閉じた状態では面一となるように配置され、前記面一に閉じられた状態にある３枚引戸の他方引戸を一方引戸側に向かって移動した際に、他方引戸を一方引戸の前に重なるように誘導し、且つ中央引戸を一方引戸側に移動した際に中央引戸を一方引戸の後に重なるように誘導する誘導機構を設けている。また前記面一に閉じた状態から他方引戸を一方引戸側に向かって移動する際に、他方引戸に追従して中央引戸を開閉させるための連動機構を設けている。
【０００６】
ここで上記連動機構は図２８に示すものを採用した。この連動機構は、一方引戸１ａ及び他方引戸の夫々の上端部から後方に向けて突出した係合部材としての鉤状のフック４０と、中央引戸１ｃの両側の上端部から後方に突出した部位の夫々から上方に突出したピン４１とで構成されている。そして３枚の引戸を面一とした全閉状態から例えば他方引戸を一方引戸１ａ側に移動した場合には、他方引戸と中央引戸１ｃとが概ね重なる段階でピン４１がフック４０の前部に片当たりし、この後、ピン４１がフック４０にガイドされながら後端側に移動し、この後、他方引戸と中央引戸１ｃとが一方引戸１ａを挟んで前後に離反する段階でピン４１がフック４０の後端部に係止されることとなり、これにより他方引戸のフック４０と中央引戸１ｃのピン４１の係合により中央引戸１ｃが他方引戸に連動して一方引戸１ａ側に移動する。
【０００７】
ところで上記連動機構におけるピン４１は他方引戸から後方に突出した部位に設けたものであるので、フック４０をピン４１に係合させるにはフック４０の他方引戸からの後方への突出量を中央引戸１ｃの厚み以上に大きくする必要がある。またフック４０は他方引戸と中央引戸１ｃとが前後に離反する段階におけるピン４１のガイドとなるものであるので、フック４０の後方への突出量はさらに中央引戸１ｃの前後方向の移動量を加えたものとなる。しかしこのようにフック４０の後方への突出量が大きいと、フック４０が３枚引戸の後方に収納された布団等の収納物に引掛かる恐れがある。
【０００８】
またフック４０は中央引戸１ｃに干渉しないように中央引戸１ｃよりも上方に配置してあるが、このフック４０とピン４１の上下方向の係合長さを長くするにはピン４１を中央引戸１ｃよりも上方に大きく突出させる必要がある。しかしピン４１の上方への突出量を大きくすると、引戸と上レールの間隙が大きくなり見栄えが悪くなるため、この連動機構にあってはフック４０とピン４１の上下方向の係合長さを長くできないという問題もある。
【特許文献１】実開昭５１−１０３５２４号公報
【発明の開示】
【発明が解決しようとする課題】
【０００９】
本発明は上記従来の問題点に鑑みて発明したものであって、全閉状態で３枚の引戸が一列に並んで連続した壁のような外観を呈することができ、また中央引戸から後方に突出する係合部材の突出量を小さくして、係合部材が引戸後方の収納物等に引掛かかることを防止でき、しかも他方引戸と中央引戸の連動時には係合部材の中央引戸への上下方向の係合長さを長くでき、係合部材を確実且つ強固に中央引戸に係合できる引戸装置を提供することを課題とするものである。
【課題を解決するための手段】
【００１０】
上記課題を解決するために本発明に係る引戸装置は、３枚以上の引戸１を備えた引戸装置であって、閉じた状態で連続して隣合う３枚引戸１ａ〜１ｃが、中央に位置する中央引戸１ｃと、中央引戸１ｃの一方の側方に配置される一方引戸１ａと、中央引戸１ｃの他方の側方に配置される他方引戸１ｂとからなり、該３枚の引戸１ａ〜１ｃは、閉じた状態では面一となるように配置され、前記面一に閉じられた状態にある３枚の引戸１ａ〜１ｃにおいて他方引戸１ｂを一方引戸側１ａに向かって移動した際に、他方引戸１ｂを一方引戸１ａの前に重なるように誘導し、且つ中央引戸１ｃを一方引戸１ａ側に移動した際に中央引戸１ｃを一方引戸１ａの後に重なるように誘導する誘導機構１９を設け、前記面一に閉じた状態から他方引戸１ｂを一方引戸１ａ側に向かって移動する際に、他方引戸１ｂに追従して中央引戸１ｃを開閉させるための連動機構１５を設け、該連動機構１５は、中央引戸１ｃの上端面に形成した前後に長い係合溝３３ｃと、他方引戸１ｂの上端から後方に向けて突出して前記係合溝３３ｃに係合可能な係合部材３５とを備え、係合部材３５の後端部から下方に突出して前記係合溝３３ｃに係合しつつ係合溝３３ｃに沿って移動自在となる係合部３５ｄを設け、係合溝３３ｃの後端部に他方引戸１ｂ側の側方に開口する突部挿入口３３ｄを形成し、前記面一に閉じた状態から他方引戸１ｂを一方引戸１ａ側に向かって移動する際に、係合部３５ｄは他方引戸１ｂと中央引戸１ｃとが概ね重なる段階で係合溝３３ｃの突部挿入口３３ｄから係合溝３３ｃに挿入されて係合溝３３ｃに係合され、且つ他方引戸１ｂと中央引戸１ｃとが前後に離反する段階で係合溝３３ｃの前端部に係合可能となるように構成されていることを特徴とするものである。
【００１１】
上記のように３枚の引戸１が閉じた状態で一列に面一となるように配置されるように構成してあることで、３枚の引戸１を閉じた状態で隣接する引戸１間に段差が生じることがなくて、一連の連続した壁面としての外観を呈することができ、また開いた状態で３枚の引戸１を前後に重ねた状態にして２枚分の引戸１を開いた状態にできる。さらに連動機構１５により中央引戸１ｃを手で開閉する必要がなくなり、開閉操作がきわめて容易となる。また連動機構１５を構成する係合溝３３ｃを形成するにあたって、係合溝３３ｃを中央引戸１ｃの上端面に形成したので、係合溝３３ｃの前部を引戸本体３０の厚みの範囲内に形成でき、係合部材３５の他方引戸１ｂからの後方への突出量を小さくすることができる。従って３枚の引戸１ａ〜１ｃの後方に収納された布団等の収納物が前方に飛び出すこともあるが、この場合に他方引戸１ｂを開閉したとしても、他方引戸１ｂから後方に突出する係合部材３５が布団等の収納物に引掛かり難くなっている。また係合溝３３ｃに係合する係合部３５ｄを係合部材３５から下方に向けて突設したので、係合部３５ｄと係合溝３３ｃが係合する上下方向の長さを十分に確保でき、尚且つ引戸１の上方に形成される隙間を小さくできて見栄えが良い。
【００１２】
上記係合部材３５は、他方引戸１ｂの上端から後方に向けて突出する横片部３５ｂと、横片部３５ｂの後端部から下方に突出した係合部３５ｄを備え、横片部３５ｂの下面を中央引戸１ｃよりも上方で且つ他方引戸１ｂの上端面と略同レベルに配置することも好ましい。他方引戸１ｂを一方引戸１ａ側に移動した際に係合部材３５の横片部３５ｂが中央引戸１ｃに干渉しないことは勿論、加えて引戸１の上方に形成される隙間を一層小さくできる。
【００１３】
また上面に上記係合溝３３ｃを形成した受け部材（実施例ではエンドキャップ３３）を備え、該受け部材を中央引戸１ｃの上端面に形成した凹所内に嵌め込むことも好ましい。受け部材を中央引戸１ｃの凹所に嵌め込むだけで係合溝３３ｃを形成できる。
【００１４】
また上記中央引戸１ｃは、引戸本体３０と、引戸本体３０の側縁に設けた長尺な縦縁材３１とを備え、該縦縁材３１の上端面に係合溝３３ｃを形成することも好ましい。縦縁材３１を引戸本体３０に取付けるだけで係合溝３３ｃを形成できる。
【００１５】
また上記中央引戸１ｃは、引戸本体３０と、引戸本体３０の側縁に設けた長尺な縦縁材３１とを備え、縦縁材３１は、引戸本体３０の側縁に設けた中空で長尺な縁材本体３２と、縁材本体３２の上端開口部からなる凹所内に嵌め込まれるエンドキャップ３３とを備え、該エンドキャップ３３の上面に上記係合溝３３ｃを形成することも好ましい。縦縁材３１を引戸本体３０に取付けるだけで係合溝３３ｃを形成できる。また縦縁材３１のエンドキャップ３３に係合溝３３ｃを形成したので、係合溝３３ｃを形成するための部材を別途設ける必要がなくて部材点数を削減できる。
【００１６】
また上記係合溝３３ｃは後端側程他方引戸１ｂ側の側方に位置するように滑らかに湾曲した溝であることも好ましい。係合部３５ｄを係合溝３３ｃ内にスムーズに移動させることができる。
【発明の効果】
【００１７】
本発明では全閉状態で３枚の引戸が一列に並んで連続した壁のような外観を呈することができる。また中央引戸から後方に突出する係合部材の突出量を小さくして、係合部材が引戸後方の収納物等に引掛かかることを防止できる。しかも他方引戸と中央引戸の連動時には係合部材の中央引戸への上下方向の係合長さを長くでき、係合部材を確実且つ強固に中央引戸に係合できる。
【発明を実施するための最良の形態】
【００１８】
以下、本発明を添付図面に示す実施形態に基いて説明する。
【００１９】
本発明の引戸装置は、図１乃至図６に示すように３枚の引戸１を有し、閉じた状態で中央に位置する中央引戸１ｃと、中央引戸１ｃの一方の側方に配置される一方引戸１ａと、中央引戸１ｃの他方の側方に配置される他方引戸１ｂとで構成され、図１（ａ）、図２（ａ）、図３に示すように閉じた状態で上記３枚の引戸１が一列に並ぶだけでなく３枚全体が段差なく面一となるように配置される。従って例えばクローゼットの扉として用いた場合、３枚の引戸１が段差無く面一に連続した一連の壁としての外観を呈することができるようになっており、見栄えが良好となる。
【００２０】
なお、以下の説明では、面一となるように３枚の引戸１を閉じた場合、図２に示すように正面（室内Ｘ）から見て右側に位置する方の引戸１を一方引戸１ａ、左側に位置する引戸１を他方引戸１ｂと定義して説明する。以下の説明で左側とは全閉状態で正面から見て一方引戸１ａが位置する方、右側とは全閉状態で他方引戸１ｂが位置する方を指す。なお、図１は上レール５部分を下方から見た下面図であるので、図２に示す平面図とは室内Ｘから見て左右が逆となるように作図している。また、図３は収納空間Ｙから見た斜視図であり、したがって、面一となるように３枚の引戸１を閉じた場合、作図上一方引戸１ａが左側、他方引戸１ｂが右側に位置するように作図している。同様に、図４乃至図６においても正面から見た場合と左右が逆に作図している。
【００２１】
本例の各引戸１は、厚み、幅、高さの寸法が略同じものを用いており、図２２（ｂ）等に示すように各引戸１ａ〜１ｃの夫々は、木製の引戸本体３０と、引戸本体３０の両側縁に設けた長尺な縦縁材３１とで構成されている。
【００２２】
引戸１ａ〜１ｃの各縦縁材３１は、アルミニウム等の軽量金属の押出成型品である長尺な中空筒状の縁材本体３２と、縁材本体３２の上端面を閉塞するエンドキャップ３３とを備えている。
【００２３】
縁材本体３２の側端の前後の縁には上下方向の全長に亘って外側方に突出する保持片３２ａを設けてあり、前後の保持片３２ａ間に外側方に開口する嵌込溝３２ｂを形成している。縁材本体３２は嵌込溝３２ｂ内に引戸本体３０の側端部を嵌め込んだ状態で引戸本体３０に取付けられている。
【００２４】
エンドキャップ３３は、嵌込部３３ａと、嵌込部３３ａから後方に突出した突出部３３ｂを備えている。エンドキャップ３３は、嵌込部３３ａを縁材本体３２の上端部で構成される上方に開口する凹所内に嵌め込み、突出部３３ｂを縁材本体３２の後面部の上端に形成した上方に開口する切欠（図示せず）を通して縁材本体３２の後方に突出した状態でねじ等の固着具３４ａにより縁材本体３２に固着している。
【００２５】
一方引戸１ａの右側の縦縁材３１、他方引戸１ｂの左側の縦縁材３１は、縁材本体３２の前面中央を後方に凹ませて指掛部３２ｇを形成している。また一方引戸１ａの左側の縦縁材３１、他方引戸１ｂの右側の縦縁材３１は、縁材本体３２の前部に後部よりも外側方に突出した指掛部３２ｇを形成している。また中央引戸１ｃの左右両側の縦縁材３１は、縁材本体３２の外側半部の前面に引戸本体３０の前面よりも後方に凹む凹段部３２ｅを形成してあり、３枚の引戸１ａ〜１ｃを面一に閉じた状態においては、一方引戸１ａ及び他方引戸１ｂの縦縁材３１の指掛部３２ｇが凹段部３２ｅに配されて中央引戸１ｃの縦縁材３１の外側端部の前方に位置して重複するようになっている。そして上記各引戸１ａ〜１ｃの各縦縁材３１は指掛部３２ｇや凹段部３２ｅに手指を掛ける等して引戸１ａ〜１ｃを開閉できるようになっており、把手を兼ねている。
【００２６】
上記３枚の引戸１は、他方引戸１ｂ側から一方引戸１ａ側に移動して開く際には該他方引戸１ｂを一方引戸１ａの前方Ａ（室内Ｘ側）に誘導し且つ中央引戸１ｃを一方引戸１ａの後方Ｂ（収納空間Ｙ側）に誘導し、且つ、一方引戸１ａ側から他方引戸１ｂ側に移動して開く際には該一方引戸１ａを他方引戸１ｂの前方Ａ（室内Ｘ側）に誘導し且つ中央引戸１ｃを他方引戸１ｂの後方Ｂ（収納空間Ｙ側）に誘導するための誘導機構１９と、他方引戸１ｂ側の操作力を中央引戸１ｃに伝達して中央引戸１ｃを他方引戸１ｂに追従して開閉させ，且つ、一方引戸１ａ側の操作力を中央引戸１ｃに伝達して中央引戸１ｃを一方引戸１ａに追従して開閉させるための連動機構１５とを備えている。
【００２７】
先ず、誘導機構１９について説明する。
【００２８】
誘導機構１９は、引戸１の上部に各々取り付けられる上ランナー２１〜２３と、引戸１の下部に各々取り付けられる下ローラー２７と、上記上ランナー２１〜２３、下ローラー２７を走行自在にガイドする戸枠４に設けた上下レール５、６とで構成してある。
【００２９】
戸枠４は３枚の引戸１を開閉自在に取付けるための開口部に取付けられる矩形状の枠体であり、上下レール５、６と左右縦枠４ａとで構成してある。図３乃至図６には上レール５を省略した状態が示してあり、図１、図７乃至図１０はそれぞれ上レール５を下から見た下面図、下から見た斜視図、下から見た分解斜視図等が示してある。
【００３０】
上ランナー２１〜２３は図１１乃至図１４に示すようにそれぞれ引戸１の後面の上端部の左右方向の両端部に逆Ｌ字状をした逆Ｌ型金具２８を介して取付けてあり、上ランナー２１〜２３は引戸１の上端部の後方に位置しており、上ランナー２１〜２３を後述の上レール５に走行自在に取付けた場合、上ランナー２１〜２３による上レール５の走行支持部分よりも前方にずれて引戸１が吊り下げられることになる。
【００３１】
上レール５は、図７乃至図１０に示すように、躯体に固定される上レール本体５０と、上レール本体５０の下面側に取付けられる上レールカバー５１とで構成してある。上レールカバー５１は長手方向の左右及び中間部に配置されて上レール本体５０にネジ固定される主上レールカバー５１ａと、左右の主上レールカバー５１ａの外側端部に配置されて主上レールカバー５１ａにネジ固定される板状をした副上レールカバー５１ｂと、隣合う主上レールカバー５１ａ間に配置されて主上レールカバー５１ａ又は後述の上レール本体５０に固定される分岐部材１８にネジ固定される板状をした副上レールカバー５１ｂとで構成してある。
【００３２】
上レール５には、図９（ａ）、図１０（ｂ）に示すように、上レール５の長手方向Ｍと直交する前後方向Ａ，Ｂに並んで、溝状の共用レール部７と溝状の中央引戸用レール部８とが並設されている。前側の共用レール部７は、一方引戸１ａ及び他方引戸１ａ、１ｂの各上端部の両端２箇所に設けた左右２個の上ランナー２１、２２をそれぞれ走行自在にガイドするものであり、後側の中央引戸用レール部８は中央引戸１ｃの上端部に設けた左右２個の上ランナー２３を走行自在にガイドするものである。
【００３３】
上記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。上記左右２個の外側曲進レール部１１と左右２個の内側曲進レール部１２の各先端部に前側直進レール部９と平行な端部直線レール部１４を連出してある。
【００３４】
これら２本のレール部（共用レール部７、中央引戸用レール部８）で３枚引戸１をガイドすることで、上レール５全体の見込み寸法Ｋ（図１７）を小さくすることが可能となり、例えばクローゼットの扉として用いた場合は収納量アップを図ることができると共に、仮りにクローゼット内で荷崩れが発生した場合でも、例えば、一方引戸１ａは閉状態から他方引戸１ｂ側に移動させることで、外側曲進レール部１１、内側曲進レール部１２に沿って前方に移動して前側直進レール部９に沿って開方向（他方引戸１ｂ側）に移動して開くことが可能となる。
【００３５】
また、上記中央引戸用レール部８は、前側直進レール部９に平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。
【００３６】
上記共用レール部７に設けた左右２個の外側曲進レール部１１の後端部に連出した端部直線レール部１４と、左右２個の内側曲進レール部１２の後端部に連出した端部直線レール部１４と、中央引戸用レール部８における左右２個の湾曲レール部１３の前端部とは、前側直進レール部９、後側直進レール部１０と平行な仮想直線上に位置している。また、左側の外側曲進レール部１１の後端部に連出した端部直線レール部１４の先端部と左側の内側曲進レール部１２の後端部に連出した端部直線レール部１４の先端部との間の距離は左側の引戸１（つまり他方引戸１ｂ）の左右の上ランナー２２間の距離に等しく、また、右側の外側曲進レール部１１の後端部に連出した端部直線レール部１４と右側の内側曲進レール部１２の後端部に連出した端部直線レール部１４の先端部との間の距離は右側の引戸１（つまり一方引戸１ａ）の左右の上ランナー２１間の距離に等しく、更に、左右の湾曲レール部１３の前端部間の距離は中央引戸１ｃの左右の上ランナー２３間の距離に等しく設定してある。
【００３７】
ここで、閉状態では、図１（ａ）に示す他方引戸１ｂの各上ランナー２２が左側に位置する外側曲進レール部１１と内側曲進レール部１２の各後端部から連出した端部直線レール部１４にそれぞれ入り込み、中央引戸１ｃの各上ランナー２３が左右２個の湾曲レール部１３の各前端部にそれぞれ入り込み、且つ一方引戸１ａの各上ランナー２１が右側に位置する外側曲進レール部１１と内側曲進レール部１２の各後端部から連出した端部直線レール部１４にそれぞれ入り込むことで、各引戸１が上レール５の長手方向Ｍと平行な同一平面となるように（つまり、３枚の引戸１が面一に連続するように）並置される。
【００３８】
一方、図１５の左開き状態では、図１（ｃ）のように一方引戸１ａの各上ランナー２１が右側に位置する外側曲進レール部１１と内側曲進レール部１２の各後端部から連出した端部直線レール部１４にそれぞれ入り込み、中央引戸１ｃの左右の上ランナー２３が後側直進レール部１０に移動し（この場合左側の上ランナー２３が後側直進レール部１０の右側の端部に移動する）、且つ他方引戸１ｂの各上ランナー２２が前側直進レール部９の右側にそれぞれ移動することで、手前から順に他方引戸１ｂと一方引戸１ａと中央引戸１ｃとが重ねて並置される。
【００３９】
また、図１６の右開き状態では、他方引戸１ｂの各上ランナー２２が左側に位置する外側曲進レール部１１及び内側曲進レール部１２の各後端部から連出した端部直線レール部１４にそれぞれ入り込み、中央引戸１ｃの左右の上ランナー２３がそれぞれ後側直進レール部１０に移動し（この場合左側の上ランナー２３が後側直進レール部１０の左側の端部に移動する）、且つ一方引戸１ａの各上ランナー２１が前側直進レール部９の左側にそれぞれ移動することで、手前から順に一方引戸１ａと他方引戸１ｂと中央引戸１ｃとが重ねて並置される。
【００４０】
これら左開き状態と右開き状態とは任意に選択できるようになっている。つまり、誘導機構１９は、他方引戸１ｂと中央引戸１ｃと一方引戸１ａとを前後に重ねた状態で、中央引戸１ｃを一方引戸１ａと重ならない位置に移動して一方引戸１ａと面一となるように誘導し、且つ他方引戸１ｂを一方引戸１ａ及び中央引戸１ｃとは重ならない位置に移動して中央引戸１ｃと面一となるように誘導する機能も兼ねている。
【００４１】
一方、各引戸１の上面の左右両側にはそれぞれ上ランナー２１（又は上ランナー２２、又は上ランナー２３）が設けてある。この上ランナー２１〜２３は、図１１乃至図１４に示すように、一対の上ローラー２６を備えたローラーブロック２４と、ローラーブロック２４の上面から上方に突出する複数個の補助ローラー２５ａ（又は補助ローラ２５ｂ）とで構成されている。この補助ローラー２５ａ（又は補助ローラ２５ｂ）は図７、図９（ｂ）、図１０（ｃ）、図１７に示す分岐部材１８により曲進又は直進のいずれかに案内されるようになっている。
【００４２】
ここで、図１１乃至図１４、図１７に示すように、一方引戸１ａ及び他方引戸１ｂの正面（室内Ｘ）から見て各右側端部に設けられた上ランナー２１（又は上ランナー２２）の上面の後方側にずれた位置及び前側にずれた位置にそれぞれ高さの低い４個の補助ローラ２５ａ（後方向にずれた位置に進行方向に２個、前方向にずれた位置に進行方向に２個、合計４個）が上方に向けて突設してあり、また、一方引戸１ａ及び他方引戸１ｂの各左側端部に設けられた上ランナー２１（又は上ランナー２２）の上面の前方側にずれた位置に高さの高い２個の補助ローラ２５ｂが上方に向けて突設してあり、また、中央引戸１ｃの右側端部に設けられた上ランナー２３の上面の後方側にずれた位置に高さの高い２個の補助ローラ２５ｂにより構成される２連補助ローラ２５ｂが上方に向けて突設してあり、また、中央引戸１ｃの左側端部に設けられた上ランナー２３の上面の前方側にずれた位置及び後方向がずれた位置に高さの低い４個の補助ローラ２５ａ（後方向にずれた位置に進行方向に２個、前方向にずれた位置に進行方向に２個、合計４個）が上方に向けて突設してある。
【００４３】
分岐部材１８は、上レール本体５０の下面部にネジ固定により取付けられるもので、図７乃至図１０に示す外側曲進レール部１１、内側曲進レール部１２、湾曲レール部１３の各分岐点に設けられた下方に開口した補助レールブロック１８ａ〜１８ｆ（図８に拡大斜視図が示してある）で構成されている。図７乃至図１０において、補助レールブロック１８ａは右側の外側曲進レール部１１に対応した位置に配置してあって上レール本体５０の下面部に取付けてあり、補助レールブロック１８ｂは右側の内側曲進レール部１２に対応した位置に配置してあって上レール本体５０の下面部に取付けてあり、また、補助レールブロック１８ｃは左側の外側曲進レール部１１に対応した位置に配置してあって上レール本体５０の下面部に取付けてあり、補助レールブロック１８ｄは左側の内側曲進レール部１２に対応した位置に配置してあって上レール本体５０の下面部に取付けてあり、また、補助レールブロック１８ｅは右側の湾曲レール部１３に対応した位置に配置してあって上レール本体５０の下面部に取付けてあり、補助レールブロック１８ｆは左側の湾曲レール部１３に対応した位置に配置してあって上レール本体５０の下面部に取付けてある。
【００４４】
上記補助レールブロック１８ａは高さの低い補助ローラ２５ａをガイドするためのもので、図８（ａ）に示すように、右側の外側曲進レール部１１の後側に沿った下方に開口した溝状の曲進ガイドレール部１８ａ１を有している。該曲進ガイドレール部１８ａ１の一端部の開口から一方引戸１ａの右側端部に設けた上ランナー２１の上面に設けた４個の高さの低い補助ローラ２５ａのうち後方向にずれた位置の２個の補助ローラ２５ａが挿入されることで、一方引戸１ａの上ランナー２１を右側の外側曲進レール部１１に沿って導入するようになっている。この場合、上記上ランナー２１の上面に設けた４個の高さの低い補助ローラ２５ａのうち前方向にずれた位置の２個の補助ローラ２５ａは補助レールブロック１８ａの下面部の上記曲進ガイドレール部１８ａ１の下端よりも上方に凹んだ段落ち部１８ａ２の下方を通過するように構成してある。
【００４５】
また、補助レールブロック１８ｂは、高さの低い前後４個の補助ローラ２５ａが直進するようにガイドすると共に高さの高い２個の補助ローラ２５ｂが曲進するようにガイドするためのもので、図８（ｂ）に示すように、下方に開口した溝状の前後２列の直線ガイドレール部１８ｂ１、１８ｂ２と、下方に開口した溝状の曲進ガイドレール部１８ｂ３とが設けてある。前の直線ガイドレール部１８ｂ１の左側半部が曲進ガイドレール部１８ｂ３の左側半部を兼用しており、更に、曲進ガイドレール部１８ｂ３の平面視で傾斜した中間部が後の直線ガイドレール部１８ｂ２を横切っており、曲進ガイドレール部１８ｂ３の中間部及び右側半部が右側の内側曲進レール部１２の前側に沿うように配設してある。
【００４６】
ここで、図８（ｂ）に示すように、直線ガイドレール部１８ｂ１、１８ｂ２と、曲進ガイドレール部１８ｂ３とは下端の位置が同じ高さ位置であるが、曲進ガイドレール部１８ｂ３は高さの高い補助ローラ２５ｂをガイドすることができるように溝深さが深い（上方への凹み深さが深い）ものであり、前の直線ガイドレール部１８ｂ１の左側半部は曲進ガイドレール部１８ｂ３の左側半部を兼用しているので溝深さが深いが右側半部は溝深さが浅い（上方への凹み深さが浅い）ものである。また、後の直線ガイドレール部１８ｂ２は曲進ガイドレール部１８ｂ３の中間部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図１９（ｂ）のように曲進ガイドレール部１８ｂ３の前半部を兼用する前の直線ガイドレール部１８ｂ１の左側半部に入った高さの高い補助ローラ２５ｂは直線ガイドレール部１８ｂ１の右側半部側には移動できず曲進ガイドレール部１８ｂ３の中間部に向かい、更に該中間部を通過する際、後の直線ガイドレール部１８ｂ２側にも移動できず、スムーズに後半部にガイドされる。また、図１９（ａ）に示すように、前の直進ガイドレール部１８ｂ１は一方引戸１ａ及び他方引戸１ｂの各右側端部に取付けた上ランナー２１の上面に設けた４個の高さの低い補助ローラ２５ａのうち前側の２個の高さの低い補助ローラ２５ａが直進するようにガイドするようになっており、後の直進ガイドレール部１８ｂ２は一方引戸１ａ及び他方引戸１ｂの各右側端部に取付けた上ランナー２１の上面に設けた４個の高さの低い補助ローラ２５ａのうち後側の２個の高さの低い補助ローラ２５ａが直進するようにガイドするようになっている。
【００４７】
ところで、一方引戸１ａ、他方引戸１ｂの各右側端部に取付けた上ランナー２１の上面に設けた４個の高さの低い補助ローラ２５ａは前後左右の４個の補助ローラ２５ａが曲進ガイドレール部１８ｂ３を同時に横切らないようになっており、どれかの高さの低い補助ローラ２５ａが曲進ガイドレール部１８ｂ３との交差部分を横切る際に少なくとも前後１個ずつの補助ローラ２５ａが前の直線ガイドレール部１８ｂ１、後の直線ガイドレール部１８ｂ２内に位置していて上記交差部分を通過する際に首振りすることなく直進するように構成してある。
【００４８】
また、補助レールブロック１８ｃは高さの高い補助ローラ２５ｂをガイドするためのもので、図８（ｆ）に示すように、左側の外側曲進レール部１１の前側に沿った下方に開口した溝深さが深い（上方への凹み深さが深い）溝状の曲進ガイドレール部１８ｃ１を有している。該曲進ガイドレール部１８ｃ１の一端部の開口から他方引戸１ｂの左側端部に取付けた上ランナー２２の上面の前側に片寄って設けた２個の高さの高い補助ローラ２５ｂが挿入されることで、他方引戸１ｂの上ランナー２２を左側の外側曲進レール部１１に沿って導入するようになっている。
【００４９】
また、補助レールブロック１８ｄは、高さの高い前側に片寄った２個の補助ローラ２５ｂが直進するようにガイドすると共に高さの低い前後４個の補助ローラ２５ａが曲進するようにガイドするためのもので、図８（ｅ）に示すように、両端部及び下方に開口した溝状の直線ガイドレール部１８ｄ１を前側に設けると共に、一端が開口し且つ下方に開口した溝状の曲進ガイドレール部１８ｄ２を後側に設けてあり、曲進ガイドレール部１８ｄ２は左側の内側曲進レール部１２の後側に沿うように配設してある。
【００５０】
ここで、図８（ｅ）に示すように、曲進ガイドレール部１８ｄ２は直線ガイドレール部１８ｄ１の下端よりも下方に突出して形成してあり、曲進ガイドレール部１８ｄ２の下端は高さの低い補助ローラ２５ａの上端よりも上方に位置している。図２１（ｂ）のように、直線ガイドレール部１８ｄ１には他方引戸１ｂ及び一方引戸１ａの各左側端部に取付けた上ランナー２１、２２の上面の前側に片寄って設けた高さの高い補助ローラ２５ｂが挿入されることになって他方引戸１ｂ及び一方引戸１ａの各左側端部に取付けた上ランナー２１、２２を直線走行させるようにガイドするようになっている。また、図２１（ａ）のように、曲進ガイドレール部１８ｄ２には他方引戸１ｂの右側端部に取付けた上ランナー２２の上面の後側に片寄って設けた２個の高さの低い補助ローラ２５ｂが挿入されることで、他方引戸１ｂの上ランナー２２を左側の内側曲進レール部１２に沿って導入するようになっており、この場合、他方引戸１ｂの右側端部に取付けた上ランナー２２の上面の前側に片寄って設けた２個の高さの低い補助ローラ２５ｂは補助レールブロック１８ｄの下面部の上記曲進ガイドレール部１８ｄ２の下端よりも上方に凹んだ段落ち部１８ｄ３の下方を通過するように構成してある。なお、直線ガイドレール部１８ｄ１の下端は上記段落ち部１８ｄ３の上底に開口しているため高さの低い補助ローラ２５ａが直線ガイドレール部１８ｄ１内に入り込むことはない。
【００５１】
また、補助レールブロック１８ｅは、中央引戸１ｃの右側に取付けた上ランナー２３の上面に設けた高さの低い前後４個の補助ローラ２５ａが直進するようにガイドすると共に左側に取付けた上ランナー２３の上面に設けた高さの高い２個の補助ローラ２５ｂが曲進するようにガイドするためのもので、図８（ｃ）に示すように、両端及び下方に開口した溝状の前後２列の直線ガイドレール部１８ｅ１、１８ｅ２と、円弧状をした両端及び下方に開口した溝状の曲進ガイドレール部１８ｅ３とが設けてある。後の直線ガイドレール部１８ｅ２は左側部、右側部がそれぞれ曲進ガイドレール部１８ｅ３の左側部、右側部を兼用しており、更に、曲進ガイドレール部１８ｅ３の円弧状をした中間部の両端部の平面視で傾斜した部分がそれぞれ前の直線ガイドレール部１８ｅ２を横切っており、曲進ガイドレール部１８ｅ３の中間部が湾曲レール部１３の前側に沿うように配設してある。
【００５２】
ここで、図８（ｃ）のように、直線ガイドレール部１８ｅ１、１８ｅ２と、曲進ガイドレール部１８ｅ３とは下端の位置が同じ高さ位置であるが、曲進ガイドレール部１８ｅ３は高さの高い補助ローラ２５ｂをガイドすることができるように溝深さが深い（上方への凹み深さが深い）ものであり、後の直線ガイドレール部１８ｅ１の右側部及び左側部は曲進ガイドレール部１８ｅ３の右側部及び左側部を兼用しているので溝深さが深いが直線ガイドレール部１８ｅ１の中間部は溝深さが浅い（上方への凹み深さが浅い）ものである。また、前の直線ガイドレール部１８ｅ２は曲進ガイドレール部１８ｅ３の中間部の両端部が横切っている部分は溝深さが深く、他の部分は溝深さが浅いものであり、これら溝深さの浅い部分の溝底（上底）は高さの高い補助ローラ２５ｂの上端よりも下位置となるように設定してある。したがって、図１９（ｄ）のように、曲進ガイドレール部１８ｅ３の前側部及び後側部を兼用する後の直線ガイドレール部１８ｅ１の左側部又は右側部に入った高さの高い補助ローラ２５ｂは直線ガイドレール部１８ｅ１の中間部には移動できず曲進ガイドレール部１８ｅ３の中間部に向かう。この場合、更に該中間部を通過する際、前の直線ガイドレール部１８ｅ２側にも移動できず、スムーズに中間部にガイドされる。また、図１９（ｃ）のように、後の直線ガイドレール部１８ｅ１は中央引戸１ｃの右側端部に取付けた上ランナー２３の上面に設けた４個の高さの低い補助ローラ２５ａのうち後側の２個の高さの低い補助ローラ２５ａが直進するようにガイドするようになっており、前の直線ガイドレール部１８ｅ２は中央引戸１ｃの右側端部に取付けた上ランナー２１の上面に設けた４個の高さの低い補助ローラ２５ａのうち前側の２個の高さの低い補助ローラ２５ａが直進するようにガイドするようになっている。
【００５３】
ところで、中央引戸１ｃの右側端部に取付けた上ランナー２１の上面に設けた４個の高さの低い補助ローラ２５ａは前後左右の４個の補助ローラ２５ａが曲進ガイドレール部１８ｅ３を同時に横切らないようになっており、どれかの高さの低い補助ローラ２５ａが曲進ガイドレール部１８ｅ３との交差部分を横切る際に少なくとも前後１個ずつの補助ローラ２５ａが前の直線ガイドレール部１８ｅ２、後の直線ガイドレール部１８ｅ１内に位置していて上記交差部分を通過する際に首振りすることなく直進するように構成してある。
【００５４】
また、補助レールブロック１８ｆは、中央引戸１ｃの左側に取付けた上ランナー２３の上面に設けた高さの高い後側に片寄った２個の補助ローラ２５ｂが直進するようにガイドすると共に右側に取付けた上ランナー２３の上面に設けた高さの低い前後４個の補助ローラ２５ａが曲進するようにガイドするためのもので、図８（ｄ）に示すように、両端部及び下方に開口した溝状の直線ガイドレール部１８ｆ１を後側に設けると共に、両一端が開口し且つ下方に開口した円弧状をした溝状の曲進ガイドレール部１８ｆ２を前側に設けてあり、直線ガイドレール部１８ｆ１が後側直進レール部１０の後側に沿って配設してあると共に、曲進ガイドレール部１８ｄ２が左側の湾曲レール部１３の前側に沿って配設してある。
【００５５】
ここで、曲進ガイドレール部１８ｆ２は直線ガイドレール部１８ｆ１の下端よりも下方に突出して形成してあり、曲進ガイドレール部１８ｆ２の下端は高さの低い補助ローラ２５ａの上端よりも上方に位置している。図２０に示すように、直線ガイドレール部１８ｆ１には中央引戸１ｃの左側端部に取付けた上ランナー２３の上面の後側に片寄って設けた高さの高い補助ローラ２５ｂが挿入されることになって中央引戸１ｃの右側端部に取付けた上ランナー２３を直線走行させるようにガイドするようになっている。また、図２０に示すように、曲進ガイドレール部１８ｆ２には中央引戸１ｃの右側端部に取付けた上ランナー２２の上面の前側に片寄って設けた２個の高さの低い補助ローラ２５ｂが挿入されることで、中央引戸１ｃの右側に取付けた上ランナー２３を右側の湾曲レール部１３に沿って導入するようになっており、この場合、中央引戸１ｃの右側端部に取付けた上ランナー２２の上面の後側に片寄って設けた２個の高さの低い補助ローラ２５ｂは補助レールブロック１８ｆの下面部の上記曲進ガイドレール部１８ｄ２の下端よりも上方に凹んだ段落ち部１８ｆ３の下方を通過するように構成してある。なお、直線ガイドレール部１８ｆ１の下端は上記段落ち部１８ｆ３の上底に開口しているため高さの低い補助ローラ２５ａが直線ガイドレール部１８ｆ１内に入り込むことはない。
【００５６】
なお、各引戸１の下端部の中央の１箇所には下ローラー２７が突設されている。下ローラー２７はＬ形金具（図示せず）を介して引戸１〜３の各下端部の中央位置に取り付けられている。下ローラー２７をガイドする下レール６には、図２乃至図６に示すように、共用レール部１０１の長手方向Ｍの両端側から後方Ｂに向って傾斜した左右の曲進レール部４２，４３がそれぞれ設けられ、曲進レール部４２、４３の端部から共用レール部１０１と平行な下端部直線レール部４５が連設してある。共用レール部１０１と平行で後ろ側に位置する中央引戸用レール部１０２の中央部から前方Ａに向って半円形状に湾曲した１つの湾曲レール部４４が設けられている。
【００５７】
ここで、下レール６の左側の曲進レール部４２の位置は、上レール５の左側の外側曲進レール部１１と内側曲進レール部１２との中間位置に対向しており、下レール６の右側の曲進レール部４３の位置は、上レール５の右側の外側曲進レール部１１と内側曲進レール部１２との中間位置に対向しており、下レール６の湾曲レール部４４の位置は、上レール５の左右の湾曲レール部１３，１３の中間位置に対向している。
【００５８】
そして、各引戸１の上端部は左右２個の上ランナー２１（２２，２３）で吊り下げ支持され、３枚の引戸１が面一となって閉じた状態で、一方引戸１ａの下ローラー２７が右側の曲進レール部４３の後端部に連設した下端部直線レール部４５に位置し、中央の引戸１ｃの下ローラー２７が湾曲レール部４４の前端部に位置し、他方引戸１ｂの下ローラー２７が左側の曲進レール部４２の後端部に連設した下端部直線レール部４５に位置する。図１４の左開きの場合、一方引戸１ａの下ローラー２７が右側の曲進レール部４３の後端部に位置し、他方引戸１ｂの下ローラー２７が共用レール部１０１の直線部分の右端に位置し、中央の引戸１ｃの下ローラー２７が中央引戸用レール部１０２の直線部分の右端に位置する。また、図１５（ｃ）の右開きの場合、他方引戸１ｂの下ローラー２７が左側の曲進レール部４２の後端部に連設した下端部直線レール部４５に位置し、一方引戸１ａの下ローラー２７が共用レール部１０１の直線部分の右端に位置し、中央の引戸１ｃの下ローラー２７が中央引戸用レール部１０２の直線部分の左端に位置する。
【００５９】
上記例において下端部直線レール部４５を設けることで前述の上レールに端部直線レール部１４を設けたのと同じ作用効果を奏し、一方引戸１ａ、他方引戸１ｂが全閉状態でいずれも前後方向において正規の位置になって段差が生じないようにでき、また、開いた状態でも、正常な位置に確実に位置させることができ、全開状態で一方引戸１ａ又は他方引戸１ｂが正規の位置よりも前側にずれていて他方引戸１ｂ又は一方引戸１ａが閉じる際に衝突したり、擦れたりせず、スムーズに正常な位置に確実に位置させて閉じることができる。
【００６０】
このように下端部は１個の下ローラー２７で下レール６にガイドされる結果、各引戸１の走行の安定化を十分に図ることができると共に、１個の下ローラー２７を用いることで、下レール６の溝形状を上レール５の溝形状よりも簡易にでき、下レール６のコスト低減を図ることができる利点もある。
【００６１】
次に連動機構１５について説明する。
【００６２】
図２２等に示すように中央引戸１ｃの左右両端部の夫々の上端面には前後に長い係合溝３３ｃを形成している。また一方引戸１ａの右側端部及び他方引戸１ｂの左側端部（即ち一方引戸１ａ及び他方引戸の夫々の閉じ方向側の端部）の上端からは係合溝３３ｃに係合可能な係合部材３５を後方に向けて突出している。そしてこれら係合溝３３ｃと係合部材３５によって連動機構１５が構成されている。
【００６３】
一方引戸１ａの係合部材３５と他方引戸１ａの係合部材３５は左右対称であり、各係合部材３５は、縦片状の引戸取付部３５ａの上端から横片部３５ｂを後方に突出した断面Ｌ字状の金具からなるアングル３５ｃと、横片部３５ｂの後端部から下方に向けて突出した係合部３５ｄとで構成されている。つまり係合部３５ｄは横片部３５ｂを介して引戸１ａ、１ｂ後方の突出位置に形成している。
【００６４】
アングル３５ｃは引戸取付部３５aを一方引戸１ａ及び他方引戸１ｂの夫々の上端部の後面にねじのような固着具３４ｂで固着することで取付けられている。アングル３５ｃを一方引戸１ａ及び他方引戸１ｂに取付けるにあたって、一方引戸１ａの右側端部の上端部の後面及び他方引戸１ｂの左側端部の上端部の後面（つまり縦縁材３１の上端部の後面）には凹部３２ｆを形成している。凹部３２ｆの深さは引戸取付部３５ａの厚み寸法以上となっている。アングル３５ｃは引戸取付部３５ａを凹部３２ｆの底面に当てた状態で取付けてあり、アングル３５ｃの引戸取付部３５ａは凹部３２ｆ内に完全に収まるように収納されている。またこのアングル３５ｃを中央引戸１ｃに取付けた状態では横片部３５ｂの下面が中央引戸１ｃよりも上方で且つ一方引戸１ａの上端面及び他方引戸１ｂの上端面と略同レベルに配置されている。
【００６５】
一方引戸１ａのアングル３５ｃの横片部３５ｂの後端部は左側方に突出し、また他方引戸１ｂのアングル３５ｃの横片部３５ｂの後端部は右側方に突出しており、各突出部分から前記係合部３５ｄを突出している。係合部３５ｄは前記係合溝３３ｃに係合しつつ係合溝３３ｃに沿って移動自在となるものであり、本例の係合部３５ｄは横片部３５ｂに上下軸回りに回転自在に軸支したローラで構成されている。係合部３５ｄを構成するローラはゴム等の軟質材料で形成してあり、これにより係合溝３３ｃに係合した連動時の衝撃を緩和でき、また連動時に生じる音を小さくできるようにしている。なお本例では係合部３５ｄをゴム等の軟質材料で形成したが、該係合部３５を受けるエンドキャップ３３全体や、エンドキャップ３３の係合部３５が係合される部分である押側ガイド面３３ｆ及び引側ガイド面３３ｇをゴム等の軟質材料で形成しても良く、この場合も同様の作用効果がある。
【００６６】
中央引戸１ｃの右側に形成した一方引戸１ａ用の係合溝３３ｃと左側に形成した他方引戸１ｂ用の係合溝３３ｃは左右対称であり、各係合溝３３ｃは中央引戸１ｃの各縦縁材３１のエンドキャップ３３の上面に形成している。つまり本例ではエンドキャップ３３を前記係合部材３５の係合部３５ｄが係合する受け部材としている。
【００６７】
各係合溝３３ｃは平面視で略Ｌ字状の溝からなり、左右方向と平行な溝状で一端が外側方（つまり右側の係合溝３３ｃにあっては右側方であり、左側の係合溝３３ｃにあっては左側方）に開口する突部挿入口３３ｄと、突部挿入口３３ｄの他端から前側に伸びるガイド溝部３３ｅとで構成されている。ガイド溝部３３ｅは前後方向と平行な直線状の溝であって、エンドキャップ３３の嵌込部３３ａの前端部から後方に延びて突出部３３ｂにまで至っている。つまり係合溝３３ｃのガイド溝部３３ｅは後端部が中央引戸１ｃの引戸本体３０よりも前方に位置し、その前後方向の長さが中央引戸１ｃの引戸本体３０の厚み寸法よりも長くなっている。ここで各係合溝３３ｃのガイド溝部３３ｅの内側の側面（つまり右側の係合溝３３ｃにあっては左側の側面であり、左側の係合溝３３ｃにあっては右側の側面）を押側ガイド面３３ｆとし、且つ外側の側面（つまり右側の係合溝３３ｃにあっては右側の側面であり、左側の係合溝３３ｃにあっては左側の側面）を引側ガイド面３３ｇと定義すると、押側ガイド面３３ｆ及び引側ガイド面３３ｇは共に前後方向と平行な縦面となっている。
【００６８】
次に動作を説明する。例えば図１１（図１（ａ）、図２（ａ）、図３、図１５（ａ））に示す３枚の引戸１ａ〜１ｃを面一にして閉じた状態から図１５（ｂ）、図１５（ｃ）と順に他方引戸１ｂを一方引戸１ａ側に向かって移動する時、他方引戸１ｂの係合部３５ｄは、図２２のように他方引戸１ｂと中央引戸１ｃが重なるように係合溝３３ｃの突部挿入口３３ｄに近づくように移動していき、図２３のように他方引戸１ｂと中央引戸１ｃとが概ね重なる段階で係合溝３３ｃの後端部に形成した突部挿入口３３ｄから係合溝３３ｃに挿入されて係合溝３３ｃの押側ガイド面３３ｆの後端部（突部挿入口３３ｄに対向する部分）に当たって係合し、この後、他方引戸１ｂの係合部３５ｄは係合溝３３ｃの押側ガイド面３３ｆに当たって係合しながら係合溝３３ｃの前端側に移動し、図２４のように他方引戸１ｂと中央引戸１ｃとが前後方向に離反する段階で、係合部３５ｄは係合溝３３ｃの押側ガイド面３３ｆの前端部に当たって係合した状態で停止する。これにより中央引戸１ｃは前記他方引戸１ｂと中央引戸１ｃとが概ね重なる段階から３枚の引戸１ａ〜１ｃを右側に寄せた左開き状態となるまでは他方引戸１ａと連動して一方引戸１ｂ側に移動する。
【００６９】
また逆に図１４に示す３枚の引戸１ａ〜１ｃを右側に寄せた左開き状態から図１３、図１２、図１１と順に他方引戸１ｂを閉じる方向に移動する時、他方引戸１ｂの係合部３５ｄは、中央引戸１ｃが中央の閉じ位置に移動する直前の段階まで図２４のように係合溝３３ｃの引側ガイド面３３ｇの後端部に当たって係合した状態となり、この後、他方引戸１ｂと中央引戸１ｃとが前後方向に接近し始める段階で係合溝３３ｃの引側ガイド面３３ｇに当たって係合しつつ係合溝３３ｃの前端側に移動し、この後、図２３のように中央引戸１ｃが閉じ位置に完全に移動した段階（他方引戸１ｂと中央引戸１ｃの前後方向の接近が終了した段階）で係合溝３３ｃの前端部に至る。これにより中央引戸１ｃは右側に寄せた全開状態からその閉じ位置である中央に移動するまでは他方引戸１ｂと連動する。そしてこの中央引戸１ｃが閉じ位置に完全に移動した段階に達すると、図２２のように係合部３５ｄは係合溝３３ｃの前端部に至って引側ガイド面３３ｇへの当たりがなくなって係合が解除され、突部挿入口３３ｄから外側方に向かって移動する。これにより他方引戸１ｂは単独で閉位置まで移動することとなる。
【００７０】
上記構成によれば他方引戸１ｂと中央引戸１ｃとを連動機構１５によって連動できるので、左開き状態とする際や閉じ状態とする際には中央引戸１ｃを手で開閉する必要がなくなり、開閉操作がきわめて容易となる。
【００７１】
また図１１に示すように、中央引戸１ｃの両端側にそれぞれ係合溝３３ｃを設け、他方引戸１ｂの左端（把手側）、及び、一方引戸１ａの右端（把手側）にそれぞれ係合部材３５を設けたので、左開きと右開きのいずれの場合も連動機構１５が働く構造となる。つまり、３枚の引戸１ａ〜１ｃが一列に段差なく面一に配置された全閉状態で、一方引戸１ａを他方引戸１ｂ側に向けて移動することで、他方引戸１ｂ及び中央引戸１ｃと同様に、連動機構１５により中央引戸１ｃを一方引戸１ａに連動して移動できるようになっている。
【００７２】
なおこの３枚の引戸１ａ〜１ｃを面一にして閉じた状態から一方引戸１ａを他方引戸１ｂ側に向かって移動する時、及び３枚の引戸１ａ〜１ｃを左側に寄せた右開き状態から一方引戸１ａを閉じる方向に移動する時には一方引戸１ａの係合部３５ｄが中央引戸１ｃの右側の係合溝３３ｃに係合するものであるが、この時の係合部３５ｄの係合溝３３ｃへの係合は上記した他方引戸１ｂ及び中央引戸１ｃのそれと同様であるので説明を省略する。
【００７３】
また本例では上記係合部３５ｄが係合する係合溝３３ｃを形成するにあたって、係合溝３３ｃを中央引戸１ｃの上端面に形成し、これにより係合溝３３ｃの前部を引戸本体３０の厚みの範囲内に形成しているので、係合部材３５の他方引戸１ｂ（又は一方引戸１ａ）からの後方への突出量を小さくすることができる。従って３枚の引戸１ａ〜１ｃの後方に収納された布団等の収納物が前方に飛び出すこともあるが、この場合に他方引戸１ｂ（又は一方引戸１ａ）を開閉したとしても、他方引戸１ｂ（又は一方引戸１ａ）から後方に突出する係合部材３５が布団等の収納物に引掛かり難くなっている。
【００７４】
また中央引戸１ｃに係合溝３３ｃを形成するにあたって、引戸本体３０とは別体の縦縁材３１の上端面を構成するエンドキャップ３３（受け部材）の上面に係合溝３３ｃを形成したので、中央引戸１ｃに簡単に係合溝３３ｃを形成でき、また係合溝３３ｃを形成するための部材を新たに設ける必要がなくて部材点数を削減できる。
【００７５】
また係合部材３５を形成するにあたって、係合部材３５の引戸取付部３５ａを他方引戸１ｂ（又は一方引戸又１ａ）の上端部の後面に設けた凹部３２ｆに収納状態で他方引戸１ｂ（又は一方引戸１ａ）に取付けているので、係合部材３５の引戸取付部３５ａが他方引戸１ｂ（又は一方引戸１ａ）の後方に突出することがなく、これにより他方引戸１ｂ（又は一方引戸１ａ）が中央引戸１ｃに重なった状態にある時には、他方引戸１ｂ（又は一方引戸１ａ）と中央引戸１ｃの前後方向の間隔を小さくすることができ、レール５、６の見込み寸法Ｋを小さくできる。また係合部材３５の引戸取付部３５ａは引戸本体３０とは別体の縦縁材３１の上端部後面に形成した凹部３２ｆに収納状態で取付けているので、一方引戸１ａ及び他方引戸１ｂに形成される凹部３２ｆを低コストで形成でき、さらに係合部材３５は３枚の引戸１ａ〜１ｃを上レール５に吊り下げた施工後にも他方引戸１ｂ（又は一方引戸１ａ）の後方から取付けることができる。さらに係合部材３５が取付けられる縦縁材３１はアルミニウムからなる金属製であるので、連動開始時には強度の強い縦縁材３１で係合部材３５にかかる衝撃を受けることができる。
【００７６】
また本例では係合部３５ｄを形成するにあたって、他方引戸１ｂ（又は一方引戸１ａ）の上端から後方に向けて突出する横片部３５ｂの下面を中央引戸１ｃよりも上方で且つ他方引戸１ｂ（又は一方引戸１ａ）の上端面と略同レベルに配置し、この係合部材３５の後端部から下方に向けて係合部３５ｄを突設したので、係合部３５ｄと係合溝３３ｃが係合する上下方向の長さを十分に確保でき、尚且つ他方引戸１ｂ（又は一方引戸１ａ）の上端面と上レール５との間に形成される隙間を小さくできて、見栄えが良い。
【００７７】
なお本実施形態では係合溝３３ｃをＬ字状の直線状の溝としたが、係合溝３３ｃは図２５のように後端側程他方引戸１ｂ側の側方に位置するように滑らかに湾曲した溝であっても良い。図示例では係合溝を平面視略円弧状に形成してあり、後端部を外側方に開口させて突部挿入口３３ｄを形成している。
【００７８】
このように係合溝３３ｃを後端側程外側方に位置するように滑らかに湾曲した略弧状の溝とすることで、他方引戸１ｂ（又は一方引戸１ａ）と中央引戸１ｃの連動時において係合部３５ｄを係合溝３３ｃ内にスムーズに移動させることができる。なお本例の一方引戸１ａの移動時、及び他方引戸１ｂの移動時における係合溝３３ｃと係合部３５ｄの係合動作は図２５乃至２７に示すように上記実施例と同様に行われるものであるので詳細な説明は省略する。
【００７９】
なお、本発明に係る引戸装置は、クローゼットの扉以外に各種の開閉扉の分野にも広く適用できるものである。
【図面の簡単な説明】
【００８０】
【図１】本発明の引戸装置の開閉動作を示し、（ａ）は３枚の引戸を面一に閉じた状態を示す上レール部分を下から見た概略下面図であり、（ｂ）は開閉途中の状態を示す上レール部分を下から見た概略下面図であり、（ｃ）は３枚の引戸を前後に重ねた全開状態を示す上レール部分を下から見た概略下面図である。
【図２】同上の引戸装置の開閉動作を示し、（ａ）は３枚の引戸を面一に閉じた状態を示す概略平断面図であり、（ｂ）は開閉途中の状態を示す概略平断面図であり、（ｃ）は３枚の引戸を前後に重ねた全開状態を示す概略平断面図である。
【図３】同上の引戸装置の全閉状態の上レールを省略した後方から見た斜視図である。
【図４】同上の引戸装置の開閉途中の状態の上レールを省略した後方から見た斜視図である。
【図５】同上の引戸装置の更に開閉途中の状態の上レールを省略した後方から見た斜視図である。
【図６】同上の引戸装置の３枚の引戸を前後に重ねた全開状態の上レールを省略した後方から見た斜視図である。
【図７】同上の上レールの下方から見た分解斜視図である。
【図８】（ａ）（ｂ）（ｃ）（ｄ）（ｅ）（ｆ）はそれぞれ補助レールブロック１８ａ〜１８ｆの下方から見た拡大斜視図である。
【図９】（ａ）は上レールの下方から見た斜視図であり、（ｂ）は副上レールカバーを省略した状態の上レールの下から見た斜視図である。
【図１０】（ａ）は上レールの下方から見た下面図であり、（ｂ）は副上レールカバーを省略した状態の上レールの下から見た下面図であり、（ｃ）は３枚の引戸の全閉状態の上レール部分を下方から見た斜視図である。
【図１１】同上の図３の一部破断した拡大斜視図である。
【図１２】同上の図４の一部破断した拡大斜視図である。
【図１３】同上の図５の一部破断した拡大斜視図である。
【図１４】同上の図６の一部破断した拡大斜視図である。
【図１５】（ａ）（ｂ）（ｃ）は同上の左開きの操作順序を示す説明図である。
【図１６】（ａ）（ｂ）（ｃ）は同上の右開きの操作順序を示す説明図である。
【図１７】（ａ）は同上の３枚の引戸に設けたランナー、補助ローラの位置関係を示す説明図であり、（ｂ）は上レールにおける補助レールブロックの位置を示す説明図である。
【図１８】同上の補助レールブロック１８ｂ、補助レールブロック１８ｅと高さの低い補助ローラ及び高い補助ローラとの関係を示す説明図のための下方から見た下面図である。
【図１９】（ａ）は図１８のＥ−Ｅ線における高さの低い補助ローラと補助レールブロック１８ｂの関係を示す説明図であり、（ｂ）は図１８のＥ−Ｅ線における高さの高い補助ローラと補助レールブロック１８ｂの関係を示す説明図であり、（ｃ）は図１８のＦ−Ｆ線における高さの低い補助ローラと補助レールブロック１８ｅの関係を示す説明図であり、（ｄ）は図１８のＦ−Ｆ線における高さの高い補助ローラと補助レールブロック１８ｅの関係を示す説明図である。
【図２０】同上の補助レールブロック１８ｄ、補助レールブロック１８ｆと高さの低い補助ローラ及び高い補助ローラとの関係を示す説明図のための下方から見た下面図である。
【図２１】（ａ）は図２０のＧ−Ｇ線における高さの低い補助ローラと補助レールブロック１８ｄの関係を示す説明図であり、（ｂ）は図２０のＧ−Ｇ線における高さの高い補助ローラと補助レールブロック１８ｂの関係を示す説明図であり、（ｃ）は図２０のＨ−Ｈ線における高さの低い補助ローラと補助レールブロック１８ｆの関係を示す説明図であり、（ｄ）は図２０のＨ−Ｈ線における高さの高い補助ローラと補助レールブロック１８ｆの関係を示す説明図である。
【図２２】同上の連動機構の開操作時における係合部が係合溝に導入される直前の状態を示し、（ａ）は平面図であり、（ｂ）は斜視図である。
【図２３】同上の連動機構の開操作時における係合部が係合溝の突部挿入口に導入された状態を示し、（ａ）は平面図であり、（ｂ）は斜視図である。
【図２４】同上の連動機構の開操作時における係合部が係合溝の前端部に導入された状態を示し、（ａ）は平面図であり、（ｂ）は斜視図である。
【図２５】他例の連動機構の開操作時における係合部が係合溝に導入される直前の状態を示し、（ａ）は平面図であり、（ｂ）は斜視図である。
【図２６】同上の連動機構の開操作時における係合部が係合溝の突部挿入口に導入された状態を示し、（ａ）は平面図であり、（ｂ）は斜視図である。
【図２７】同上の連動機構の開操作時における係合部が係合溝の前端部に導入された状態を示し、（ａ）は平面図であり、（ｂ）は斜視図である。
【図２８】従来の連動機構を示す斜視図である。
【符号の説明】
【００８１】
１  引戸
１ａ  一方引戸
１ｂ  他方引戸
１ｃ  中央引戸
１５  連動機構
１９  誘導機構
３１  縦縁材
３２  縁材本体
３３  エンドキャップ
３３ｃ  係合溝
３３ｄ  突部挿入口
３５  係合部材
３５ｂ  横片部
３５ｄ  係合部
【図１】
2007138390.tif 000003
【図２】
2007138390.tif 000004
【図３】
2007138390.tif 000005
【図４】
2007138390.tif 000006
【図５】
2007138390.tif 000007
【図６】
2007138390.tif 000008
【図７】
2007138390.tif 000009
【図８】
2007138390.tif 000010
【図９】
2007138390.tif 000011
【図１０】
2007138390.tif 000012
【図１１】
2007138390.tif 000013
【図１２】
2007138390.tif 000014
【図１３】
2007138390.tif 000015
【図１４】
2007138390.tif 000016
【図１５】
2007138390.tif 000017
【図１６】
2007138390.tif 000018
【図１７】
2007138390.tif 000019
【図１８】
2007138390.tif 000020
【図１９】
2007138390.tif 000021
【図２０】
2007138390.tif 000022
【図２１】
2007138390.tif 000023
【図２２】
2007138390.tif 000024
【図２３】
2007138390.tif 000025
【図２４】
2007138390.tif 000026
【図２５】
2007138390.tif 000027
【図２６】
2007138390.tif 000028
【図２７】
2007138390.tif 000029
【図２８】
2007138390.tif 000030